(57)【要約】      （修正有）【課題】1個の給糸口で、接合個所の段差部で孔が目立たない編地を編成できる編地の接合方法を提供する。【解決手段】少なくとも一対の針床を有する横編機を用い、第１編地及び第２編地の終端部の編目と、伏目用ウェールの編目の重ね目を形成することにより、第１編地と第２編地を接合する。この時、第１編地と第２編地の少なくとも一方の終端部には段差部がある。1個の給糸口を用い、伏目用ウェール及び前記段差部の有る編地を編成し、伏目用ウェールとして、前記終端部の編目と重ね目を形成するウェールと、終端部の編目と重ね目を形成しない編目による追加ウェールを編成し、前記段差部の有る編地に段差部の低い側で増目を行い、増目により生じた追加の編目と追加ウェールの編目の重ね目を形成する。【選択図】図２
2020066810.tif 000002
【特許請求の範囲】
【請求項１】
少なくとも前後一対の針床を有する横編機を用い、
第１編地及び第２編地の終端部の編目と、伏目用ウェールの編目の重ね目を形成することにより、第１編地と第２編地を接合し、
かつ第１編地と第２編地の少なくとも一方の終端部に段差部がある、編地の接合方法において、
1個の給糸口を用い、伏目用ウェール及び前記段差部の有る編地を編成し、
前記伏目用ウェールとして、前記終端部の編目と重ね目を形成するウェールと、終端部の編目と重ね目を形成しない編目の追加ウェールを編成し、
前記段差部の有る編地に段差部の低い側で増目を行い、増目により生じた追加の編目と追加ウェールの編目の重ね目を形成することを特徴とする、編地の接合方法。
【請求項２】
前記増目を割り増やしにより行い、割り増やしにより生じた旧編目と新編目の一方の編目と追加ウェールの編目の重ね目を形成すると共に、追加ウェール以外の伏目用ウェールの編目で前記重ね目の次コースに位置する編目と、他方の編目の重ね目を形成することを特徴とする、請求項１の編地の接合方法。
【請求項３】
前記段差部の有る編地中の、前記割り増やしを行ったウェールに隣接する、段差部の低い側のウェールに新たな編目を形成すると共に、前記新たな編目と、追加ウェール以外の伏目用ウェールの編目で前記新たな編目に向かい合う編目の重ね目を形成することを特徴とする、請求項２の編地の接合方法。
【請求項４】
伏目用ウェールは、第１編地の編目と重ね目を形成する第１ウェールと、第２編地の編目と重ね目を形成する第２ウェールと、前記追加ウェールを少なくとも１ウェール備え、
伏目用ウェールの編目を第１編地側の針床に配置した後に、第２ウェールの編目と第２編地の端部の編目の重ね目を形成すると共に、第２ウェールに新たな編目を形成し、
伏目用ウェールの編目を第２編地側の針床に配置した後に、第１ウェールの編目と第１編地の端部の編目の重ね目を形成すると共に、第１ウェールに新たな編目を形成することを特徴とする、請求項１〜３のいずれかの編地の接合方法。
【請求項５】
伏目用ウェールは、第１編地の編目と重ね目を形成する第１ウェールと、第２編地の編目と重ね目を形成する第２ウェールと、第１編地の増目と重ね目を形成する第１の追加ウェールと、第２編地の増目と重ね目を形成する第２の追加ウェールを備えていることを特徴とする、請求項１〜４のいずれかの編地の接合方法。
【請求項６】
第１編地及び第２編地の端部の編目と伏目用ウェールの編目の重ね目により、第１編地と第２編地が接合され、
かつ第１編地と第２編地の少なくとも一方の終端部に段差部がある編地において、
前記伏目用ウェールは、前記端部の編目と重ね目を形成しない編目による追加ウェールを含むと共に、
前記段差部の有る編地は段差部の低い側に増目を備え、増目により生じた追加の編目と追加ウェールの編目の重ね目を備えていることを特徴とする編地。  
【発明の詳細な説明】
【技術分野】
【０００１】
この発明は横編機による編地の接合方法と、接合された編地に関する。
【背景技術】
【０００２】
衣類等を無縫製で編成する場合、前編地等の第１編地と後編地等の第２編地を肩部で接合する。特許文献１（特許５６１９００８）は、第１編地と第２編地の間に、伏目用ウェールを２ウェール編成することを開示している。第１編地の編目と第１の伏目用ウェールの編目の重ね目を形成することにより第１編地を伏目し、第２編地の編目と第２の伏目用ウェールの編目の重ね目を形成することにより第２編地を伏目する。しかしながら第１編地あるいは第２編地に段差部があると、段差部の近傍で孔が開く。
【０００３】
特許文献２（特許５３４９２６８）の図２は、２個の給糸口を用い、第１編地と第２編地を伏目することを開示している。この編成方法では、一方の給糸口を第１編地と第２編地の編成に用い、他方の給糸口を伏目に用いる。特許文献２では、接合と並行して第１編地あるいは第２編地を編成しても、２目分の段差が生じず、段差部の孔は目立たない。しかしながら特許文献２の接合方法は、２個の給糸口を必要とするため、量産時等では糸始末に手間が掛かる。
【０００４】
接合以外の先行技術を示す。割り増やしにより、１目の編目を新編目と旧編目の２目の編目に増目することが知られている。また特許文献３（特許５６９５８４６）は、空針ニット＋捻りによる増目を開示している。
【先行技術文献】
【特許文献】
【０００５】
【特許文献１】特許５６１９００８
【特許文献２】特許５３４９２６８
【特許文献３】特許５６９５８４６
【発明の概要】
【発明が解決しようとする課題】
【０００６】
この発明の課題は、少ない数の給糸口で編成できかつ接合個所の段差部で孔が目立たない編成方法と、編成された編地を提供することにある。  
【課題を解決するための手段】
【０００７】
この発明は、少なくとも前後一対の針床を有する横編機を用い、
第１編地及び第２編地の終端部の編目と、伏目用ウェールの編目の重ね目を形成することにより、第１編地と第２編地を接合し、
かつ第１編地と第２編地の少なくとも一方の終端部に段差部がある、編地の接合方法において、
１個の給糸口を用い、伏目用ウェール及び前記段差部の有る編地を編成し、
前記伏目用ウェールとして、前記終端部の編目と重ね目を形成するウェールと、終端部の編目と重ね目を形成しない編目による追加ウェールを編成し、
前記段差部の有る編地に段差部の低い側で増目を行い、増目により生じた追加の編目と追加ウェールの編目の重ね目を形成することを特徴とする。
【０００８】
またこの発明の編地は、第１編地及び第２編地の端部の編目と伏目用ウェールの編目の重ね目により、第１編地と第２編地が接合され、
かつ第１編地と第２編地の少なくとも一方の終端部に段差部がある編地において、
前記伏目用ウェールは、前記端部の編目と重ね目を形成しない編目による追加ウェールを含むと共に、
前記段差部の有る編地は段差部の低い側に増目を備え、増目により生じた追加の編目と追加ウェールの編目の重ね目を備えていることを特徴とする。
【０００９】
この発明では、１個の給糸口で編成できるので、糸の始末が容易である。また段差部でも、編地の接合個所に目立った孔が開かない。さらに追加ウェールにより、伏目のウェール方向強度が増すので、接合部の形態が安定する。
【００１０】
好ましくは、前記増目を割り増やしにより行い、割り増やしにより生じた旧編目と新編目の一方の編目と追加ウェールの編目の重ね目を形成すると共に、追加ウェール以外の伏目用ウェールの編目で前記重ね目の次コースに位置する編目と、他方の編目の重ね目を形成する。このようにすると、割り増やしにより生じる旧編目と新編目が共に伏目用ウェールと接続されるので、段差部の孔がより目立ちにくくなる。
【００１１】
より好ましくは、前記段差部の有る編地中の、前記割り増やしを行ったウェールに隣接する、段差部の低い側のウェールに新たな編目を形成すると共に、前記新たな編目と、追加ウェール以外の伏目用ウェールの編目で前記新たな編目に向かい合う編目の重ね目を形成する。このようにすると、前記新たな編目も伏目用ウェールと接合されるので、段差部の孔はさらに目立ちにくくなる。
【００１２】
好ましくは、伏目用ウェールは、第１編地の編目と重ね目を形成する第１ウェールと、第２編地の編目と重ね目を形成する第２ウェールと、前記追加ウェールを少なくとも１ウェール備え、
伏目用ウェールの編目を第１編地側の針床に配置した後に、第２ウェールの編目と第２編地の端部の編目の重ね目を形成すると共に、第２ウェールに新たな編目を形成し、
伏目用ウェールの編目を第２編地側の針床に配置した後に、第１ウェールの編目と第１編地の端部の編目の重ね目を形成すると共に、第１ウェールに次の編目を形成する。一般に裏目は表目に比べ膨らみが小さく、第１ウェールの編目は第１編地側から見て裏目、第２ウェールの編目は第２編地側から見て裏目となり、伏目用ウェールの膨らみが目立たなくなる。
【００１３】
好ましくは、伏目用ウェールは、第１編地の編目と重ね目を形成する第１ウェールと、第２編地の編目と重ね目を形成する第２ウェールと、第１編地の増目と重ね目を形成する第１の追加ウェールと、第２編地の増目と重ね目を形成する第２の追加ウェールを備えている。このようにすると、第１編地の段差部の孔を第１の追加ウェールにより防止し、第２編地の段差部の孔を第２の追加ウェールにより防止できる。
【図面の簡単な説明】
【００１４】
【図１】実施例での、段差部以外の個所の編成方法を示す図
【図２】実施例での、段差部付近の編成方法を示す図
【図３】実施例での伏目用ウェールと、第１編地及び第２編地の配置を示す図で、（Ａ）は２目の伏目用ウェールを、（Ｂ）は３目の伏目用ウェールを、（Ｃ）は４目の伏目用ウェールを示す。
【図４】実施例での第１編地と伏目用ウェールとの接続を示す図
【図５】従来例での第１編地と伏目用ウェールとの接続を示す図
【図６】実施例での編地の接合個所を示す写真
【図７】従来例での編地の接合個所を示す写真
【発明を実施するための形態】
【００１５】
以下に、発明を実施するための最適実施例を示す。
【実施例】
【００１６】
図１、図２に実施例での編成方法を示す。用いる横編機は、ＦＵ（前上），ＦＤ（前下），ＢＵ（後上），ＢＤ（後下）の４枚の針床を備え、前後の針床間で編目の目移しが自在で、かつ各針床を独立してラッキングできる。しかし前後一対の２枚の針床を備える横編機を用い、針床の針を１本置きに２組に分け、一方の組の針を上部の針床の針と見なし、他方の組の針を下部の針床の針と見なしても、同様の編成ができる。黒い三角は給糸口１で、針床の針に給糸する。意匠的な理由等で複数の糸を用いる場合を除き、給糸口は１個で良いので、編成開始個所及び終了個所での糸の始末が簡単になる。  
【００１７】
ＦＤの編針Ａ〜Ｇに係止する編目列は第１編地２で、ＢＤの編針ａ〜ｇに係止する編目列は第２編地３で、実施例ではこれらは衣類の前編地と後編地である。実施例では、第１編地２と第２編地３を伏目用ウェールα，β，γを用いて伏目する。実施例では、第２編地３は肩に沿って予め編成済みで、接合編成の間、新たなコースを形成しないものとする。これに対して、第１編地２は、接合編成と並行して、引き返しにより新たなコースを編成する。この編成では、前編地となる第１編地２側に追加ウェールとなる伏目用ウェールγを最端部の位置に配置する。また、前下がりを設けるため引き返しにより新たなコースを編成すると、新たなコースの端部に段差部が生じる。そして段差部に伏目用ウェールと接続されていない編目が生じると、孔が開く。この発明では、引き返しによる新たなコース端部の段差部で孔が目立たないようにする。
【００１８】
第１編地２と第２編地３の双方に対し、接合編成と並行して引き返しにより新たなコースを編成しても良い。この場合、前編地となる第１編地２側に追加ウェールとなる伏目用ウェールγを最端部に配置するだけでなく、後編地用となる第２編地３側に追加ウェールを更に追加すれば良い。また編成する編地の種類は衣類に限らず、接合編成と並行して新たなコースを編成するため段差部が生じる編地であれば、任意である。
【００１９】
この明細書において、ウェールはシンカーループとニードルループにより互いに接続されている編目の列を意味し、コースはシンカーループ間の渡り糸により互いに接続されている編目の列を意味する。
【００２０】
例えば３目の伏目用ウェールα，β，γを設け、この内ウェールαは第２編地３の編目と重ね目を形成し、第２編地３を伏目するためのウェールで、ウェールβは第１編地２の編目と重ね目を形成し、第１編地２を伏目するためのウェールである。またウェールγは追加ウェールで、
・  伏目用ウェールα，β，γにより構成される伏目部の、ウェール方向に沿った強度を増し、
・  第１編地２の段差部で編地２の編目と重ね目を形成することにより、孔が開かないようにするためのものである。編針Ａ〜Ｇに係止する編目列は第１編地２の編目を示し、伏目用ウェールβの編目と接合する。更に編針ａ〜ｇに係止する編目列は第２編地３の編目を示し、伏目用ウェールαの編目と接合する。
【００２１】
Ｓ＋数字は各ステップを示し、Ｓ０は接合編成での最初の状態を示す。Ｓ１で、ウェールγ，βに新たな編目を形成すると共に、ウェールα，β，γの編目を針床ＦＤへ目移しする。Ｓ２で針床ＢＤ（ＢＵ）を右方にラッキングし、第２編地３の編針ａに係止する編目をウェールαの編目に重ね、Ｓ３でウェールαに新たな編目を形成する。Ｓ４で針床ＢＤ（ＢＵ）を左方にラッキングし、ウェールα，β，γの編目を針床ＢＤへ目移しし、Ｓ５で更に左方にラッキングを行い、第１編地２の編針Ａに係止する編目をウェールβの編目に重ねる。Ｓ５を実行した後の編地の状態は、Ｓ０の状態とほぼ同じである。
【００２２】
段差部以外の個所では、Ｓ５からＳ１に戻り、Ｓ１〜Ｓ５のサイクルを繰り返す。Ｓ１〜Ｓ５を１回ずつ実行することにより、第１編地２及び第２編地３を各１ウェール伏目し、伏目用ウェールα，β，γに各１目新たな編目を形成した。
【００２３】
第１編地２と接合するウェールβの編目は第２編地３側の針床ＢＤで形成し（Ｓ１）、第２編地２と接合するウェールαの編目は第１編地２側の針床ＦＤで形成した（Ｓ３）。このようにすると、ウェールβの編目は第１編地２側から見て裏目、ウェールαの編目は第２編地３側から見て裏目となり、接合する際の伏目ループは接合箇所の内側に配置されることで、伏目用ウェールの膨らみを小さくできる。なおこの点は、図２のＳ６，Ｓ１２，Ｓ１４でも同様である。
【００２４】
実施例では、接合編成と並行して、第１編地２に新たなコースを引き返しにより編成する。引き返しにより新たなコースを編成する場合、Ｓ５に続いて、Ｓ６〜Ｓ１４を実行する。Ｓ６でウェールγ，βに新たな編目を形成した後、ウェールα，β，γの編目を針床ＦＤへ目移しする。Ｓ７で針床ＢＤ（ＢＵ）を右方にラッキングし、ウェールα，β，γの編目を針床ＢＵへ目移しする。Ｓ８，Ｓ９で、第１編地２を引き返しにより２コース編成する。引き返し編成と並行して、針床ＢＤ（ＢＵ）をラッキングし、追加ウェールγの編目を保持する編針ｄと段差部となる編針Ｃを向かい合わせて、Ｓ１０での割り増やし＋重ね目の形成を準備する。また編針ｂに係止する編目をウェールαに目移しできるように、これらの編目を保持する針を向かい合わせる。
【００２５】
Ｓ８，Ｓ９で第１編地２を２コース編成したため、編針Ｃと編針Ｄに係止する編目間に段差部が生じる。そこでＳ１０で、編針Ｃに係止する編目に新たな編目を形成すると共に、この編目を割り増やしし、割り増やし前から存在する旧編目と新編目の２目の編目に分岐させる。そして例えば旧編目ｍを追加ウェールγの編目に重ねる。また割り増やしにより生じた新編目は、編針Ｃに係止する編目となり、この編目を以降のステップでウェールβの編目に重ねる。これにより、第１編地２に形成された段差箇所の新旧何れの編目も、伏目用ウェールの編目と接合されることになり、段差部に孔が目立たなくなる。Ｓ１０ではさらに、第１編地２の編針Ｃの右側の編針Ｂに係止する編目にも新たな編目を形成する。なおＳ１０で、割増やし時の新編目をウェールγの編目に重ねても良い。また割り増やしではなく、特許文献３に記載の空針ニット＋捻りにより、増目は、ラッキングを用いて例えば編針Ｂ，Ｃに係止する編目間に形成し、この増目をウェールγの編目に重ねても良い。
【００２６】
割り増やしと並行して、Ｓ１０でウェールαの編目をＦＤに目移しし、Ｓ１１で第２編地の編針ｂに係止する編目をウェールαの編目に重ねる。そしてＳ１２でウェールαに新たな編目を形成する。Ｓ１３で第１編地の編針Ｂに係止する編目をウェールβの編目に重ねるとともに、ＦＤの編針Ａに係止するウェールαの編目をＢＵの編針ａに目移しする。そしてＳ１４で、ウェールγ，βに新たな編目を形成する。Ｓ１４を実行した後の編地の状態は、Ｓ１で新たな編目を形成した後でかつ目移し前の状態とほぼ同じである。ステップＳ１４の実行後に、ウェールα，β，γの編目を例えば針床ＦＤへ目移しし、次いでＳ２〜Ｓ５を実行する。以降はＳ１〜Ｓ５のサイクルを実行し、編針Ｃ〜Ｇと編針ｃ〜ｇに係止する編目に伏目を行う。
【００２７】
伏目用ウェールの配置例を図３に示す。（Ａ）は第１編地２及び第２編地３の編目を重ねる伏目用ウェールδと追加ウェールγの２列で伏目する例を示す。追加ウェールγはウェールδの左右いずれにあっても良い。ただし（Ａ）の配置は３重目の形成を伴うため、編成が難しい。（Ｂ）は第１編地２用に追加ウェールγを割り当て、第１編地２の伏目にウェールβを、第２編地３の伏目にウェールαを割り当てる例を示す。どのウェールに追加ウェールγを割り当てるかは任意である。
【００２８】
（Ｃ）は、第１編地２と第２編地３の双方で、段差部に孔が開かないようにする場合の、伏目用ウェールの配置を示す。この場合、追加ウェールとしてγ１，γ２の２ウェールを設け、ウェールγ１を第１編地の段差部での孔開き防止に、ウェールγ２を第２編地の段差部での孔開き防止に用いる。またウェールα，β，γ１，γ２の配置は任意である。なお追加ウェールγを３ウェール以上設けても良いが、編成が難しくなる。
【００２９】
なお図３（Ｃ）のように、追加ウェールγ２を設け、第２編地３にも伏目と並行して新たなコースを編成する場合、例えば図２のＳ１４の後に目移しにより伏目用ウェールα，β，γの針床での配置を整える。次いでＳ８〜Ｓ１４に対応する編成を針床の前後を反転して実行し、第２編地３を引き返し編成したことにより生じた端部の孔開き防止のため、段差部の低い側で割り増やし等による増目を形成し、この際の旧編目あるいは新編目を追加ウェールγ２の編目に重ねる。
【００３０】
図４は、実施例での第１編地２と伏目用ウェールβ，γとの接続を示す。この他に、第２編地が伏目用ウェールαに接続されているが、図示を省略する。また図５は、従来例での第１編地２と伏目用ウェールβとの接続を示す。図４，図５での点線は重ね目による編目の接続を示し、Ｃ１〜Ｃ３は編成コースで、Ｃ１は右向きに編成し、伏目用ウェールγ，βに対して図の下から上向きの方向に編成を繰り返して伏目する。また段差部の始端としてＣ２を左向きに編成してＣ３は右向きに編成し、コースＣ２，Ｃ３を引き返しとして段差を編成する。図５の従来例は、図４の実施例に比べ、
・  追加ウェールγが無く、
・  段差部で割り増やしした編目ｍ（実施例では旧編目）をウェールγの編目に重ねることが無い。図５の従来例では、段差部の編目ｒが伏目用ウェールβと繋がっていないので、伏目用ウェールβと編目ｒとの間付近で孔が開きやすい。
【００３１】
図４では、接合編成と並行して、編針Ｄ〜Ｊに係止する旧編目（Ｃ１）に対し引き返しで２コース（Ｃ２、Ｃ３）編成する。その際、編針Ｃ，Ｂに係止する編目に新たな編目を形成するので、段差部の高さが図５の２目から１目になる。さらに編針Ｃに係止する編目を割り増やし等により増目し、例えば旧編目ｍを追加ウェールγの編目に重ね、割り増やし等により編針Ｃに形成された新編目ｐをウェールβの編目に重ねる。また編針Ｂに係止する編目ｎをウェールβの編目に重ねる。これらの結果、段差部の付近で第１編地２の外周の編目は全てウェールβまたはγに重ねられるので、段差部の付近に孔が開かない。増目する編針は段差部の低い側の端となる編針Ｃに限らず、その隣の編針Ｂなどでも良い。
【００３２】
追加ウェールγを設けると、コース方向の編目が増えて伏目巾が増すため、伏目用ウェールの強度も増す。このため衣類にこの発明を適用すると、伏目部に平行な方向に力が加わった際に伏目用ウェールα，β，γが伸び難くなり、その結果衣類の形態が安定する。追加ウェールγに対し更にウェール方向の編目をミス編成で減らすことで、伸び具合を調整する事も可能である。
【００３３】
図６は実施例で編成した衣類の接合部を示し、図７は追加のウェールγを設けない従来例で編成した衣類の接合部を示す。図７では接合部に孔が目立つが、図６では追加ウェールγを設けた前編地（第１編地２）側で、孔は目立たない。
【００３４】
実施例には以下の特徴がある。
１）  伏目用ウェールと向かい合う個所で、第１編地２あるいは第２編地３に段差部が有っても、段差部に孔が開かない。
２）  伏目用ウェールの目数を増すと、伏目のウェール方向に沿って編地が伸び難くなり、編地の形態が安定する。
３）  １個の給糸口１により編成できるので、糸始末が容易になる。なお追加ウェールγを、ウェールα，βと同じコース数で編成する必要はなく、追加ウェールγのウェール方向の目数はウェールα，βでのウェール方向の目数よりも少なくても良い。
４）  伏目用ウェールの膨らみを隠すことができる。
【００３５】
なお図３では、伏目用ウェールを４ウェール幅まで示したが、伏目用ウェールをより多数、例えば２０ウェール程度、編成しても良い。この場合、多数の伏目用ウェールを例えば対向する針床にC字状に半分ずつ配置し、C字の両端部付近に実施例での伏目用ウェールα、βと追加ウェールγ１、γ２を配置する。また伏目用ウェールの編目の内で、ウェールα，β，γ１，γ２ 以外の編目（Ｃ字の両端部を除く編目）は表目（天竺編み）で編成し、盛り上がった幅広の肩の伏目等とすればよい。
【符号の説明】
【００３６】
１          給糸口
２          第１編地
３          第２編地
α，β，γ  伏目用ウェール
Ａ〜Ｅ      前針床の編針
ａ〜ｇ      後針床の編針
ｍ，ｎ，ｐ，ｒ          編目
Ｃ１〜Ｃ３    コース        
【図１】
2020066810.tif 000003
【図２】
2020066810.tif 000004
【図３】
2020066810.tif 000005
【図４】
2020066810.tif 000006
【図５】
2020066810.tif 000007
【図６】
2020066810.tif 000008
【図７】
2020066810.tif 000009